(57)【要約】【課題】同じカテゴリに属する商品のなかからユーザが所望の商品をより適切に選択できるように支援するための技術を提供する。【解決手段】サーバは、１つの商品を端末装置のユーザに提示する場合、その商品の各項目の項目値をレーダーチャート３１０上に線３１２により描画する。レーダーチャート３１０上には、その商品のシリーズに属する全商品の各項目の項目値の領域３１３を合わせて表す。それにより、商品のシリーズにおける位置づけをユーザが多角的に容易に把握できるように支援する。【選択図】図３
2013218494.tif 000002
【特許請求の範囲】
【請求項１】
提示可能な商品の各項目の評価結果である項目値を表す項目値情報を格納した格納手段と、
ネットワークを介して接続された端末装置のユーザに商品を提示する場合に、前記格納手段に格納された前記項目値情報を参照し、該商品における複数の項目の各項目値、及び該商品が属するグループで提示可能な商品の範囲を該複数の項目の項目値の範囲として表すグラフ情報を作成するグラフ作成手段と、
前記ネットワークを介して、前記グラフ作成手段が作成したグラフ情報を前記端末装置に送信する通信手段と、
を具備することを特徴とする情報処理装置。
【請求項２】
前記商品は、前記グラフ情報にある該商品の項目に対する項目値が操作された場合に、該操作後の各項目の項目値に基づいて変更する、
ことを特徴とする請求項１記載の情報処理装置。
【請求項３】
前記グラフ情報はレーダーチャートである、
ことを特徴とする請求項１、または２記載の情報処理装置。
【請求項４】
提示可能な商品の各項目の評価結果である項目値を表す項目値情報を格納手段に格納し、
ネットワークを介して接続された端末装置のユーザに商品を提示する場合に、前記格納手段に格納された前記項目値情報を参照し、該商品における複数の項目の各項目値、及び該商品が属するグループで提示可能な商品の範囲を該複数の項目の項目値の範囲として表すグラフ情報を作成し、
前記ネットワークを介して、該作成したグラフ情報を前記端末装置に送信する、
ことを特徴とする商品紹介方法。
【請求項５】
端末装置とネットワークを介して接続可能なコンピュータに、
提示可能な商品の各項目の評価結果である項目値を表す項目値情報を格納手段に格納し、
ネットワークを介して接続された端末装置のユーザに商品を提示する場合に、前記格納手段に格納された前記項目値情報を参照し、該商品における複数の項目の各項目値、及び該商品が属するグループで提示可能な商品の範囲を該複数の項目の項目値の範囲として表すグラフ情報を作成し、
該作成したグラフ情報を、前記ネットワークを介して前記端末装置に送信する、
処理を実行させるプログラム。
【発明の詳細な説明】
【技術分野】
【０００１】
本発明は、ネットワークと接続される端末装置のユーザに商品を紹介するための技術に関する。
【背景技術】
【０００２】
近年のネットワークの発展により、ネットワークを介して接続された端末装置のユーザにサービスを提供する処理システムは数多く構築されている。サービス提供用の処理システムは、１台以上のサーバ（データ処理装置）を用いて構築される。多くの人の利用、或いは多くの種類のサービスの提供を想定した処理システムは、負荷を分散するために、複数のサーバ（データ処理装置）を用いて構築することにより、大規模化するのが普通である。このような処理システムは「サイト」とも呼ばれる。
【０００３】
ネットワークを介して提供するサービスの一つとして、商品販売サービスがある。商品販売サービスを利用するユーザは、端末装置をネットワークと接続可能な任意の場所で所望の商品を購入することができる。
【０００４】
商品販売サービスを提供するサイト（処理システム）では、ユーザが所望の商品を選択できるように、購入可能な商品の情報を提示できるようになっている。しかし、ユーザが購入を検討する商品と同じカテゴリに複数の商品が存在するケースが多いのが実情である。商品を製造するメーカーも、同じカテゴリに属する商品を複数、開発し、シリーズとすることが多い。これらのようなことから、ユーザは同じカテゴリに属する商品のなかから所望の商品を選択しなければならない場合が多い。このことを考慮するならば、ユーザが所望の商品を選択するのを支援できる情報提供を行うのが望ましいと思われる。
【０００５】
商品の購入を検討するユーザが、その商品についての十分な知識を有しているとは限らない。そのようなユーザにとっては、購入を検討する商品のカテゴリに属する商品全体を表す情報が有用になると思われる。その理由は、十分な知識を有していないユーザであっても、商品全体を表す情報を合わせて提供することにより、属するカテゴリのなかでの商品の相対的な位置関係を容易に把握できるようになると思われるからである。
【０００６】
例えば商品の一つであるパーソナルコンピュータ（以降「パソコン」と略記）では、形状によって複数のカテゴリに分類され、想定する使用目的によって仕様が異なる。
例えばデスクトップ型のパソコンで高画質の映像を楽しみたいと考えているユーザは、デスクトップ型のパソコンのなかで他と比較してより高画質のパソコンの購入を検討する可能性が高い。そのようなパソコンの購入を検討するユーザにとっては、デスクトップ型のパソコンのなかでの相対的な画質の違いは重要な要素となりうる。
【０００７】
高画質を最重視するユーザであっても、価格、処理速度等の他の要素も重視することは多い。このようなことから、ユーザが商品の購入をより適切に行えるように支援するうえで、カテゴリに属する商品全体を表す情報は多角的に提供するのが望ましいと思われる。
【先行技術文献】
【特許文献】
【０００８】
【特許文献１】特開２００２−１０９３７８号公報
【特許文献２】特開２００７−４１９７１号公報
【発明の概要】
【発明が解決しようとする課題】
【０００９】
１側面では、本発明は、同じカテゴリに属する商品のなかからユーザが所望の商品をより適切に選択できるように支援するための技術を提供することを目的とする。
【課題を解決するための手段】
【００１０】
本発明を適用した１システムでは、提示可能な商品の各項目の評価結果である項目値を表す項目値情報を格納した格納手段と、ネットワークを介して接続された端末装置のユーザに商品を提示する場合に、格納手段に格納された前記項目値情報を参照し、該商品における複数の項目の各項目値、及び該商品が属するグループで提示可能な商品の範囲を該複数の項目の項目値の範囲として表すグラフ情報を作成するグラフ作成手段と、ネットワークを介して、グラフ作成手段が作成したグラフ情報を端末装置に送信する通信手段と、を具備する。
【発明の効果】
【００１１】
本発明を適用した場合には、同じカテゴリに属する商品のなかからユーザは所望の商品をより適切に選択することができる。
【図面の簡単な説明】
【００１２】
【図１】本実施形態による情報処理装置が適用されたネットワークシステムの構成例を説明する図である。
【図２】本実施形態による情報処理装置であるサーバによって端末装置に表示されるホームページ画面例を表す図である。
【図３】デスクトップの１シリーズのページ画面例を表す図である。
【図４】項目選択画面例を表す図である。
【図５】項目の組み合わせの変更後に表示されるページ画面例を表す図である。
【図６】「現在のパソコンと比較」ボタンへのクリック操作により表示されるページ画面例を表す図である。
【図７】価格テーブルの内容例を説明する図である。
【図８】スペックテーブルの内容例を説明する図である。
【図９】サイズテーブルの内容例を説明する図である。
【図１０】納期テーブルの内容例を説明する図である。
【図１１】バランステーブルの内容例を説明する図である。
【図１２】アプリテーブルの内容例を説明する図である。
【図１３】サービステーブルの内容例を説明する図である。
【図１４】付加係数テーブルの内容例を説明する図である。
【図１５】第１のページ画面作成処理のフローチャートである。
【図１６】アプリ利用チェック処理のフローチャートである。
【図１７】サービス利用チェック処理のフローチャートである。
【図１８】利用レベルチェック処理のフローチャートである。
【図１９】スペックチェック処理のフローチャートである。
【図２０Ａ】ポイント数値化処理のフローチャートである。
【図２０Ｂ】ポイント数値化処理のフローチャートである（続き）。
【図２１】提示商品変更処理のフローチャートである。
【図２２】パソコン比較表示処理のフローチャートである。
【図２３】本実施形態を適用可能なコンピュータのハードウェア構成の一例を表す図である。
【発明を実施するための形態】
【００１３】
以下、本発明の実施の形態について、図面を参照しながら詳細に説明する。
図１は、本実施形態による情報処理装置が適用されたネットワークシステムの構成例を説明する図である。図１に表すように、ネットワークシステムは、サーバ１、ネットワーク２、及びネットワーク２と接続された複数の端末装置３を備えた構成となっている。
【００１４】
サーバ１は、ネットワーク２を介して接続された端末装置３のユーザを対象にサービスを提供するための処理システムである。通常、処理システムは、複数台のサーバを接続した構成であるが、ここでは説明上、便宜的に、１台のサーバ１によって実現されていると想定している。本実施形態による情報処理装置は、複数台のサーバ等の情報処理装置を用いて構築される装置であっても良い。
【００１５】
サーバ１は、ネットワーク２を介して接続された端末装置３のユーザを対象にしたサービスとして、商品販売サービスを提供する。商品販売サービスをユーザが快適に利用できるように、サーバ１は、販売対象とする商品に係わる商品データの提供を必要に応じて行う。本実施形態による情報処理装置は、ユーザへの商品データの提供のために設置されたサーバ１によって実現されている。商品データの提供を通して、サーバ１は、ユーザが所望する商品の適切、且つ容易な選択を支援する。
【００１６】
図２〜図６は、本実施形態による情報処理装置、つまりサーバ１によって端末装置３上に表示される画面例を説明する図である。図１の詳細な説明を行う前に、図２〜図６を参照し、本実施形態による商品データの提供、つまり商品紹介の方法について具体的に説明する。ここでは、説明上、便宜的に、商品としてはパソコンのみを想定する。
【００１７】
図２は、本実施形態による情報処理装置であるサーバによって端末装置に表示されるホームページ画面例を表す図である。サーバ１は、図２に表すように、パソコンを商品とする販売サービスを提供する。パソコンは、ここではデスクトップ、ホームノート、モバイルノートの３つのカテゴリに分類され、各カテゴリは更にサブカテゴリに分類されている。図２では、サブカテゴリは「シリーズ」と表記している。デスクトップには「Ａシリーズ」「Ｂシリーズ」の２種類が存在し、ホームノートには「Ｃシリーズ」「Ｄシリーズ」「Ｅシリーズ」の３種類が存在し、モバイルノートには「Ｆシリーズ」「Ｇシリーズ」「Ｈシリーズ」の３種類が存在する。各シリーズ、及び各カテゴリは、それぞれ、複数の商品が存在するグループとなっている。
【００１８】
各シリーズ名の近傍に配置された画像２０１は、それぞれ対応するシリーズ用のページ画面への移行を指示するリンクボタンである。リンクボタン２０１の下方に配置された画像２０２も、それぞれ、所望するシリーズ用のページ画面への移行を指示できるリンクボタンである。リンクボタン２０２上にマウスカーソルを移動させた場合、対応するカテゴリに属するシリーズのうちの何れかを選択させるためのポップアップが表示される。このことから、図２に表すようなホームページ画面を端末装置３に表示させたユーザは、リンクボタン２０１、或いはリンクボタン２０２へのクリック操作により、所望のシリーズ用のページ画面を新たに端末装置３に表示させることができる。
【００１９】
図３は、デスクトップの１シリーズのページ画面例を表す図である。デスクトップのシリーズのページ画面の上部には、販売側が推奨する商品の画像３００、レーダーチャート３１０用の表示領域３０１が配置されている。表示領域３０１の下方には、推奨商品についての説明用の表示領域３０２、推奨ソフトウェア（以降「ソフトウェア」は「ソフト」と略記する）についての説明用の表示領域３０３、及び保証内容の説明用の表示領域３０４が配置されている。
【００２０】
推奨商品は、ユーザの過去の利用履歴から特定した商品、或いは販売側で特定した商品である。本実施形態では、何れのシリーズのページ画面を最初に端末装置３に表示させる場合、推奨商品を特定し、特定した推奨商品をページ画面上に提示するようにしている。
【００２１】
表示領域３０１内には、レーダーチャート３１０が配置される。レーダーチャート３１０の各項目の近傍には、チェックボックス３１１が配置され、レーダーチャート３１０内には、推奨商品の各項目の評価を表す線３１２が描画されている。各項目の評価は１０段階評価となっている。また、レーダーチャート３１０内に表される領域３１３は、対応するシリーズに存在する商品の範囲を表している。それにより、図３は、Ａシリーズの商品は、価格面では１０段階評価で２〜７の範囲内であり、人気面では１０段階評価で１〜１０の範囲内であることを表している。同様に、Ａシリーズの商品は、サイズ面では１０段階評価で３〜９、容量面では１〜８、スピード面では４〜８、の範囲内であることを表している。
【００２２】
図３に表すように、本実施形態では、提示する商品の各項目の評価と合わせ、その商品のシリーズに属する全商品の各項目の項目値範囲をレーダーチャート３１０で表すようにしている。このため、ユーザは、提示された商品の属するシリーズ内での位置づけ、つまり各項目における全体のなかでの相対的な位置関係を容易に把握することができる。それにより、ユーザは、パソコンの知識が乏しくとも、提示された商品の同じシリーズに属する他の商品と比較した場合の相対的に良い点、及び相対的に悪い点を理解したうえで、購入する商品を検討することができる。このことから、ユーザにとっては、自身にとってより適切と考える商品を購入できるようになる。
【００２３】
ユーザが商品を選択した場合、画像３００は、ユーザが選択した商品の画像に変更され、レーダーチャート３１０の線３１２も、ユーザが選択した商品のものに変更される。それにより、ユーザは、選択した商品でも、シリーズに存在する全商品のなかでの位置づけを多角的に、容易に把握することができる。
【００２４】
レーダーチャート３１０では、複数の項目を任意に設定できることから、商品の検討は多角的に行うことができる。それにより、商品の全体像の理解も容易である。商品の紹介にレーダーチャート３１０を用いているのは、そのためである。商品の検討を多角的に行えるのであれば、レーダーチャート３１０以外のグラフを採用しても良い。ユーザが任意のグラフを選択できるようにしても良い。
【００２５】
線３１２の形状は、商品によって異なる。このことから、本実施形態では、レーダーチャート３１０上の線３１２は、ユーザが所望する条件を満たす商品の指定に用いられるようにしている。レーダーチャート３１０の各項目の近傍に配置されたチェックボックス３１１は、項目のなかで項目値の変更対象とする項目をユーザが選択可能にするために設けている。ユーザは、チェックマークを表示させたチェックボックス３１１に対応する項目の項目値を変更することができる。項目値自体の変更はドラッグ操作により行うことができる。
【００２６】
ユーザが何れかの項目の項目値を変更した場合、サーバ１は、項目値の変更後の線３１２に最も近い商品を特定し、特定した商品の画像を画像３００として新たに表示させる。それにより、ユーザは、線３１２により表される商品を確認することができる。線３１２は、商品の各項目で満たすレベルを表している。その線３１２への操作により、ユーザは、各項目で満たすべきレベルを満たす商品を容易に確認できるようになる。
【００２７】
最も近い商品の特定は、例えばユークリッド距離により行うことができる。ユークリッド距離の計算では、項目別に重み係数を用いても良い。他の方法を用いても良い。このようなことから、最も近い商品の特定方法は、特に限定されるものではない。
【００２８】
図３では、項目名として、「価格」「人気」「サイズ」「容量」及び「スピード」を表記している。しかし、ユーザによっては、異なる項目を重視することが考えられる。このことから、本実施形態では、レーダーチャート３１０の項目の組み合わせはユーザが任意に設定できるようにしている。図３に表す「レーダーチャート変更」ボタン３２３は、項目の組み合わせを行うためのボタンである。ボタン３２３をユーザがクリック操作した場合、図４に表すような項目選択画面が端末装置３に表示される。
【００２９】
図４に表す項目選択画面には、レーダーチャート３１０の項目として選択可能な項目の項目名毎に、チェックボックス４０１が配置されている。それにより、ユーザは、必要と考える項目のチェックボックス４０１にチェックマークを表示させ、不必要と考える項目のチェックボックス４０１のチェックマークを消去させる。そのように行う項目の変更は、レーダーチャート変更ボタン４０２へのクリック操作により有効となる。
【００３０】
「レーダーチャート変更」ボタン４０２へのクリック操作により、前の画面に戻る。しかし、「レーダーチャート変更」ボタン４０２へのクリック操作により戻る画面では、項目選択画面上で選択されている項目の組み合わせでレーダーチャート３１０が表示される。それにより、ユーザは、レーダーチャート３１０の項目の組み合わせを随時、変更して、提示された商品を別の角度で確認することができる。
【００３１】
図５は、項目の組み合わせの変更後に表示されるページ画面例を表す図である。ここでは、「価格」「人気」「サイズ」「容量」及び「スピード」の項目の組み合わせに新たに「納期」が加えられた場合を想定している。それにより、レーダーチャート３１０の形状は５角形から６角形に変化している。表示領域３０３では、「納期」の追加に合わせ、納期についての説明文が追加されている。
【００３２】
ユーザは、同じサイトで過去に同じ種類の商品を購入している可能性がある。図３及び図５に表すページ画面上には、「現在のパソコンと比較」ボタン３２２が配置されている。この「現在のパソコンと比較」ボタン３２２は、ユーザが過去にパソコンを購入していた場合に、提示されているパソコンを過去に購入したパソコンと比較するためのボタンである。
【００３３】
図６は、「現在のパソコンと比較」ボタンへのクリック操作により表示されるページ画面例を表す図である。図６に表すように、ページ画面上のレーダーチャート３１０には、線３１２、領域３１３が描画されると共に、ユーザが過去に購入したパソコンを表す線３１４が描画されている。
【００３４】
項目毎の線３１４と線３１２の違いは、過去に購入されたパソコンと、現在、提示のパソコンとの間の対応する項目での差を表している。パソコンに搭載されるＣＰＵ（Central Processing Unit）の高性能化は著しく、ハードディスク装置に代表されるストレージの容量も増大している。このことから、スピード、容量の各項目では、過去に購入されたパソコンは低い評価となっている。ユーザにとっては、これらスピード、容量の各項目の評価の違いは、パソコンを購入する必要性を検討するうえでの有用な情報となりうる。
【００３５】
本実施形態では、サーバ１は商品購入に係わる処理として、上記のような画面の端末装置３への表示を実現させる。そのために、サーバ１は、図１に表すように、通信部１１、リクエスト処理部１２、及び記憶部１３を備えている。
【００３６】
通信部１１は、ネットワーク２を介した端末装置３との通信を実現させる。リクエスト処理部１２は、端末装置３からの要求に対応するための処理を実行する。記憶部１３には、リクエスト処理部１２が各種処理を実行するために必要なデータが格納されている。より具体的には、記憶部１３には、価格テーブル１３１、スペックテーブル１３２、サイズテーブル１３３、納期テーブル１３４、バランステーブル１３５、アプリテーブル１３６、サービステーブル１３７、認証データベース（以降「ＤＢ」）１３８、履歴ＤＢ１３９、付加係数テーブル１４０、及びマスタＤＢ群１４１が格納されている。図１では、商品の画像、仕様等の詳細データ、等の商品データ等は省いている。先ず、図７〜図１４を参照し、価格テーブル１３１、スペックテーブル１３２、サイズテーブル１３３、納期テーブル１３４、バランステーブル１３５、アプリテーブル１３６、サービステーブル１３７、及び付加係数テーブル１４０について具体的に説明する。
【００３７】
図７は、価格テーブルの内容例を説明する図である。図７に表すように、価格テーブル１３１には、商品であるパソコン毎に、型名、金額（円）、１０段階評価、の各データが格納される。型名は、パソコンを一意に識別可能な識別データである。金額は、パソコンの金額を表す。１０段階評価は、金額を１０段階で評価した場合の値を表す。値は、大きいほど金額が大きいことを表している。レーダーチャート３１０の選択可能な項目の一つである価格の項目値の特定には、価格テーブル１３１が用いられる。
【００３８】
図８は、スペックテーブルの内容例を説明する図である。スペックテーブル１３２は、レーダーチャート３１０の選択可能な項目のなかで、スピード、容量、マルチメディア、拡張性、アプリケーション、セキュリティの各項目の項目値の特定に用いられる。図８に表すように、スペックテーブル１３２には、パソコン毎に、型名、スピード関連、容量関連、マルチメディア関連、拡張性関連、アプリケーション関連、セキュリティ関連、及び１０段階評価、の各データが格納される。
【００３９】
型名はパソコンの識別データである。スピード関連データは、ＣＰＵを一意に特定可能なＣＰＵ名、クロック数（ＧＨｚ）、メモリ（ＧＢ）、１０段階評価、の各データを含む。それにより、項目としてのスピードの評価は、ＣＰＵの種類の他に、クロック数、メモリ容量を加えて行うようにしている。１０段階評価の値は、高速な処理が可能なほど、高い値となる。この１０段階評価の値はスピードの項目値として扱われる。
【００４０】
容量関連データは、パソコンに搭載されるハードディスク装置等のストレージに係わるデータであり、ストレージ、１０段階評価、の各データを含む。ストレージデータは、ストレージの種類、容量を表す。１０段階評価は、ストレージの容量を基準に行われ、容量が大きくなるほど、その値は大きくなる。１０段階評価の値は、容量の項目値として扱われる。図８中に表記の「ＨＤＤ」はハードディスク装置を表す。
【００４１】
マルチメディア関連データは、マルチメディア関連の仕様、及び１０段階評価、の各データを含む。仕様データは、映像出力、或いは音響出力に係わる装備を表すデータである。図８中に表記の「地デジ」「３Ｄ」はそれぞれ、地上デジタル放送が視聴可能、３次元ディスプレイを装備、を意味している。１０段階評価の値は、装備の機能が高いほど、装備の数が多いほど、高い値となる。１０段階評価の値は、マルチメディアの項目値として扱われる。
【００４２】
拡張性関連データは、インターフェース（Ｉ／Ｆ）、及び１０段階評価、の各データを含む。インターフェースデータは、パソコンに搭載されたインターフェースの種類、種類別のインターフェースの数、或いは空きスロットの種類、種類別の空きスロットの数、等を表す。１０段階評価の値は、インターフェース、或いは空きスロットの数が多いほど、その種類に応じて高い値となる。１０段階評価の値は、拡張性の項目値として扱われる。
【００４３】
アプリケーション関連データは、アプリケーション、及び１０段階評価、の各データを含む。アプリケーションデータは、パソコンにインストールされた、或いはインストールが可能なアプリケーションを表す。１０段階評価の値は、アプリケーションが多いほど、アプリケーションが高価であるほど、高い値となる。１０段階評価の値は、アプリケーションの項目値として扱われる。
【００４４】
セキュリティ関連データは、ソフトウェア、及び１０段階評価、の各データを含む。ソフトウェアデータは、セキュリティ用に搭載されたソフトウェアを表す。１０段階評価は、搭載されたセキュリティソフトウェアによって実現可能なセキュリティレベルを表す。１０段階評価の値は、セキュリティの項目値として扱われる。
【００４５】
スピード関連、容量関連、マルチメディア関連、拡張性関連、アプリケーション関連、及びセキュリティ関連、の各データとは別のデータとして格納される１０段階評価は、パソコン全体のスペックを対象にした評価を表す。１０段階評価の値は、スペックが高いほど、高い値となる。
【００４６】
パソコンが属するシリーズ、カテゴリは、図１には不図示のテーブルにより管理される。そのテーブルは以降「パソコン管理テーブル」と表記する。
【００４７】
図９は、サイズテーブルの内容例を説明する図である。図９に表すように、サイズテーブル１３３には、パソコン毎に、型名、重量（Ｋｇ）、体積（ｃｍ３）、形状、１０段階評価、及び備考の各データが格納される。１０段階評価は、重量が軽くなるほど、体積が小さくなるほど、高い値となる。１０段階評価の値は、サイズの項目値として扱われる。
【００４８】
図１０は、納期テーブルの内容例を説明する図である。図１０に表すように、納期テーブル１３４には、パソコン毎に、納期、１０段階評価、及び備考の各データが格納される。１０段階評価は、納期が短いほど、高い値となる。１０段階評価の値は、納期の項目値として扱われる。
【００４９】
図１１は、バランステーブルの内容例を説明する図である。図１１に表すように、バランステーブル１３５には、パソコン毎に、販売台数、推薦ポイント、１０段階評価、及び備考の各データが格納される。推薦ポイントは、例えば販売側によるパソコンの推奨度合いを表している。１０段階評価は、販売台数が多いほど、推薦ポイントの値が大きいほど、高い値となる。１０段階評価の値は、人気の項目値として扱われる。
【００５０】
図１１は、バランステーブルの内容例を説明する図である。図１１に表すように、バランステーブル１３５には、パソコン毎に、販売台数、推薦ポイント、１０段階評価、及び備考の各データが格納される。推薦ポイントは、例えば販売側によるパソコンの推奨度合いを表している。１０段階評価は、販売台数が多いほど、推薦ポイントの値が大きいほど、高い値となる。１０段階評価の値は、人気の項目値として扱われる。
【００５１】
図１２は、アプリテーブルの内容例を説明する図である。図１２に表すように、アプリテーブル１３６には、アプリケーション毎に、型名、名前、１０段階評価、及び備考の各データが格納される。ここでの型名は、アプリケーションの識別データである。
【００５２】
アプリケーションを動作させる負荷は、アプリケーションによって異なる。アプリケーションの負荷が重くなるほど、パソコンに要求されるスペックは高くなる。アプリテーブル１３６は、ユーザの使用するアプリケーションから、購入するパソコンに要求されるスペックを特定するためのテーブルである。それにより、１０段階評価は、負荷が重くなるほど、必要とするリソースが大きくなるほど、高い値となる。
【００５３】
図１３は、サービステーブルの内容例を説明する図である。図１３に表すように、サービステーブル１３７には、パソコンの購入者を対象にした保証サービス毎に、型名、名前、１０段階評価、及び備考の各データが格納される。ここでの型名は、保証サービスの識別データである。１０段階評価の値は、保証サービスの内容が充実しているほど、高い値となる。
【００５４】
図１４は、付加係数テーブルの内容例を説明する図である。図１４に表すように、付加係数テーブル１４０には、レーダーチャート３１０に設定可能な項目毎に、重点ポイント、付加係数、デフォルト評価、及び備考の各データが格納される。重点ポイントは、項目を表すデータである。
【００５５】
上記のように本実施形態では、推奨商品は、ユーザの過去の利用履歴から特定した商品、或いは販売側で特定した商品である。付加係数テーブルは、ユーザの過去の利用履歴から推奨商品を特定できなかった場合に、ユーザによって選択されたシリーズに存在する商品のなかから推奨商品を特定するために用いられる。本実施形態では、付加係数テーブルに格納された各項目の付加係数は、シリーズに存在する最高スペックのパソコンの各項目の項目値に乗算される。
【００５６】
各項目の乗算結果は、レーダーチャート３１０に設定する項目の選択に用いられる。それにより、例えば乗算結果の大きいほうから所定数の項目が抽出され、抽出された項目がレーダーチャート３１０の項目として設定される。デフォルト評価は、そのような項目の設定が行えなかった場合に用いられる。この場合、デフォルト評価として「１」が格納された項目が設定される。
【００５７】
本実施形態では、ユーザは会員登録を行えるようにしている。認証ＤＢ１３８は、会員の認証を行うためのデータベースであり、会員毎に、ＩＤ（IDentifier）、パスワード、及び個人データが格納されている。
【００５８】
履歴ＤＢ１３９は、サービスを受けたユーザ毎に、そのユーザが受けたサービスの内容等を履歴として保存するためのＤＢである。履歴ＤＢ１３９の参照により、ユーザが過去に購入したパソコンの種類、時期、アンケートの回答内容、等が特定可能である。
【００５９】
図７〜図１２に表す各種テーブルにデータとして格納される１０段階評価は、対応するマスタＤＢから抽出される。マスタＤＢ群１４１は、そのようなマスタＤＢの集合体である。このマスタＤＢ群１４１を構成する各マスタＤＢは、新しいアプリケーションの販売開始、新しいＣＰＵを搭載したパソコンの登場、等に応じて、随時、更新される。このため、スペックテーブル１３２等に登録されていないパソコンであっても、詳細なデータが判明していれば、各項目の項目値を特定可能となっている。
【００６０】
上記のようなデータを参照して処理を行うリクエスト処理部１２は、認証部１２１、更新部１２２、データ生成部１２３、検索部１２４、及び推奨商品特定部１２５を備える。
【００６１】
認証部１２１は、会員登録したユーザの認証を行うことにより、ユーザのログイン／ログアウトを可能にさせる。更新部１２２は、記憶部１３に格納された各種テーブル、及び各種ＤＢを必要に応じて更新する。
【００６２】
データ生成部１２３は、ユーザの要求により生成が必要になったデータの生成を行う。ページ画面に配置するレーダーチャート３１０は、ユーザによって異なる。このことから、データ生成部１２３は、レーダーチャート３１０を含むグラフを生成するグラフ生成部１２３ａを備えている。
【００６３】
検索部１２４は、各種ＤＢ１３８、１３９、或いはマスタＤＢ群１４１を対象にしたデータ検索を行う。推奨商品特定部１２５は、図３に表す派エージ画面に画像３００として配置する商品の特定を行う。
【００６４】
上記のようなリクエスト処理部１２を備えたサーバ１は、例えば図２〜図６に表すようなページ画面の表示を可能にするプログラムをコンピュータに実行させることで実現可能である。ここで図２３を参照し、本実施形態を適用可能なコンピュータのハードウェア構成の一例について具体的に説明する。図２〜図６に表すようなページ画面の表示を可能にするプログラムについては以降「Ｗｅｂアプリケーション」と表記する。
【００６５】
本実施形態を適用可能なコンピュータは、例えば図２３に表すように、ＣＰＵ５１、ＦＷＨ（FirmWare Hub）５２、メモリ（メモリモジュール）５３、ＮＩＣ（Network Interface Card）５４、ハードディスク装置（ＨＤ）５５、ファン５６、ファン駆動回路５７、コントローラ５８、及びＢＭＣ（Baseboard Management Controller）５９を備えている。このような構成は１例であり、サーバ１として使用可能なコンピュータの構成として限定されるものではない。
【００６６】
ＦＷＨ５２は、ＢＩＯＳ（Basic Input/Output System）を格納したメモリである。このＢＩＯＳは、ＣＰＵ５１によってメモリ５３に読み出され実行される。ハードディスク装置２５には、ＯＳ（Operating System）、及び上記Ｗｅｂアプリケーションを含む各種アプリケーションが格納されており、ＣＰＵ５１は、ＢＩＯＳの起動が完了した後、コントローラ５８を介してハードディスク装置５５からＯＳを読み出して実行することができる。ＮＩＣ５４を介した通信は、ＢＩＯＳの起動によって可能となる。
【００６７】
ＢＭＣ５９は、コンピュータ管理用の装置である。ＢＭＣ５９は、通信機能を備え、スイッチ２３を介して外部装置と通信を行うことができる。ＢＭＣ５９は、外部装置からの指示に従って、コンピュータの稼動／停止、つまり電源のオン／オフを制御することができる。
【００６８】
図２３に示す構成では、例えば図１の記憶部１３はハードディスク装置５５に相当する。通信部１１は、例えばＮＩＣ５４に相当する。ＯＳ、及び上記Ｗｅｂアプリケーションがハードディスク装置５５に格納されている場合、リクエスト処理部１２は、ＣＰＵ５１、ＦＷＨ５２、メモリ５３、コントローラ５８、及びハードディスク装置５５によって実現される。Ｗｅｂアプリケーションは、ハードディスク装置５５とは別の記憶装置に格納されていても良い。可搬性の記録媒体に格納しておき、外部装置からネットワーク等を介して取得しても良い。
【００６９】
以降は、上記ＷｅｂアプリケーションをＣＰＵ５１が実行することで実現される処理について、図１５〜図２２に表す各フローチャートを参照して詳細に説明する。
図１５は、第１のページ画面作成処理のフローチャートである。第１のページ画面作成処理は、ユーザが図２上のボタン２０１、及び２０２のうちの何れかを操作してシリーズを選択した場合に、図３に表すようなページ画面を端末装置３上に表示させるために実行される処理である。始めに図１５を参照して、第１のページ画面作成処理について詳細に説明する。
【００７０】
先ず、ＣＰＵ５１は、端末装置３のユーザが会員か否か判定する（Ｓ１）。ユーザがログインを行っていない場合、Ｓ１の判定はＮｏとなってＳ８に移行する。ユーザがログインを行っていた場合、Ｓ１の判定はＹｅｓとなってＳ２に移行する。
【００７１】
Ｓ２への移行は、ユーザの過去の利用履歴から、推奨商品を特定できる可能性があることを意味する。このことから、Ｓ２〜Ｓ８では、ユーザの過去の利用履歴から推奨商品を特定するうえで必要なデータを生成するための処理が行われる。
【００７２】
Ｓ２では、ＣＰＵ５１は、例えばユーザのＩＤを用いて履歴ＤＢ１３９を参照し、履歴ＤＢ１３９からユーザが過去に購入した商品のデータを抽出する。次にＣＰＵ５１は、端末装置３から、個人データ３１を読み込む（Ｓ３）。その後はＳ４に移行する。
【００７３】
本実施形態では、会員登録を希望するユーザに、使用する端末装置３の記憶装置３０上に保存される個人データ３１の収集の同意を求めている。個人データ３１とは、具体的には、端末装置３のリソース（スペック）に係わるリソースデータ３５、インストールされているアプリケーションに係わるアプリデータ３６、及び過去に利用したサービスに係わるサービス利用データ３７である。このような個人データ３１がＳ３の処理を実行することにより、サーバ１に収集される。
【００７４】
Ｓ４では、ＣＰＵ５１は、アプリ利用チェック処理を実行する。アプリ利用チェック処理は、個人データ３１中のアプリデータ３５を用いて、推奨商品に求められるスペックを評価するために実行される。
【００７５】
図１６は、アプリ利用チェック処理のフローチャートである。
このアプリ利用チェック処理では、先ず、ＣＰＵ５１は、アプリデータ３５から、ユーザが利用しているアプリケーションをチェックする（Ｓ２１）。次に、ＣＰＵ５１は、図１２に表すアプリテーブル１３６を参照し、チェックしたアプリケーションに対応する１０段階評価の値を特定する（Ｓ２２）。その次に、ＣＰＵ５１は、チェックしたアプリケーションから、推奨対象とするアプリケーションをリストアップする（Ｓ２３）。その後、アプリ利用チェック処理が終了する。推奨対象とするアプリケーションとは、例えば、ユーザが現在、利用中のアプリケーションより新しいバージョン、利用中のアプリケーションを想定して開発された別のアプリケーション、等である。
【００７６】
図１６に表すようなアプリ利用チェック処理をＳ４で実行したＣＰＵ５１は、次に、サービス利用チェック処理を実行する。サービス利用チェック処理は、ユーザが利用している保証サービスを確認し、ユーザに推奨するサービスをリストアップするための処理である。
【００７７】
図１７は、サービス利用チェック処理のフローチャートである。
このサービス利用チェック処理では、先ず、ＣＰＵ５１は、サービス利用データ３６から、ユーザが利用している保証サービスをチェックする（Ｓ３１）。次に、ＣＰＵ５１は、図１３に表すサービステーブル１３７を参照し、チェックしたサービスに対応する１０段階評価の値を特定する（Ｓ３２）。その次に、ＣＰＵ５１は、チェックしたサービス、及び１０段階評価の値から、推奨商品を購入する場合に推奨対象とするサービスをリストアップする（Ｓ３３）。その後、サービス利用チェック処理が終了する。推奨対象とするサービスとは、例えば、ユーザが現在、利用中のサービス、その利用中のサービスを同等の保証が得られる別のサービス、販売側が推奨するサービス、等である。
【００７８】
図１７に表すようなサービス利用チェック処理をＳ５で実行したＣＰＵ５１は、次に、利用レベル利用チェック処理を実行する。利用レベルチェック処理は、ユーザが過去に回答したアンケート結果から、ユーザの推奨商品が満たすべきスペックを評価するための処理である。ユーザが過去にアンケートに回答していた場合、アンケート結果を表すアンケートデータは履歴ＤＢ１３９に保存される。
【００７９】
図１８は、利用レベルチェック処理のフローチャートである。
この利用レベルチェック処理では、先ず、ＣＰＵ５１は、アンケートデータから、ユーザのパソコンに対するスキルのレベルをチェックする（Ｓ４１）。アンケートには、ユーザのスキル、パソコンの使用目的、等を推量するうえで有効と思われる設問を入れている。このことから、設問への回答内容により、ユーザのレベルを推量することができる。
【００８０】
次に、ＣＰＵ５１は、アンケートに設けたパソコンの利用時間に関する設問への回答結果を、推量したレベルに反映させ、反映結果から推奨商品が満たすべきスペックを１０段階評価する（Ｓ４２）。その後、利用レベルチェック処理が終了する。推量したレベルを利用時間によって変更するのは、単にインターネットを使用してページを閲覧しているような人は、たとえパソコンをハードに使用していても、レベルはあまり高くないと思われるからである。
【００８１】
図１８に表すような利用レベルチェック処理をＳ６で実行したＣＰＵ５１は、次に、スペックチェック処理を実行する。スペックチェック処理は、ユーザが過去に購入したパソコンから、ユーザの推奨商品が満たすべきスペックを評価するための処理である。ユーザが過去にパソコンを購入していた場合、ユーザが購入したパソコンを表すスペックデータは履歴ＤＢ１３９に保存される。このスペックデータとは、図８に表すスペックテーブル１３２の１レコード（エントリ）に格納されるようなデータである。
【００８２】
図１９は、スペックチェック処理のフローチャートである。
このスペックチェック処理では、先ず、ＣＰＵ５１は、収集した個人データ３１中のリソースデータ３５を用いてスペックテーブル１３２を参照し、リソースデータ３５に対応する型名データを特定し、スペックの１０段階評価値を抽出する（Ｓ５１）。次にＣＰＵ５１は、図１６のアプリ利用チェック処理、図１８の利用レベルチェック処理の各実行結果から得られた評価結果を考慮し、抽出した１０段階評価の変更を行う（Ｓ５２）。その後、スペックチェック処理が終了する。
【００８３】
ユーザが新たなパソコンの購入を考えるのは、使用していたパソコンが故障した、新たにパソコンが必要になった、といった理由でない限り、使用中のパソコンのスペックが低すぎるという理由であることが多い。これは、過去に購入されたパソコンのスペックは、推奨商品を特定するうえで余り参考にならないことを意味する。抽出した１０段階評価の変更を必要に応じて行うのは、このためである。スペックチェック処理の実行により、推奨商品が満たすべきスペックの１０段階評価値が確定する。
【００８４】
図１９に表すようなスペックチェック処理をＳ７で実行したＣＰＵ５１は、次に、ポイント数値化処理を実行する（Ｓ８）。
ポイント数値化処理は、推奨商品を決定し、レーダーチャート３１０の各項目の項目値を決定するための処理である。図２０Ａ及び図２０Ｂを参照し、ポイント数値化処理について詳細に説明する。図２０中の「Ｎ」は、ここでは「１０」を表している。
【００８５】
先ず、ＣＰＵ５１は、１０段階評価結果が有るか否か判定する（Ｓ６１）。上記のように、ユーザが会員でない場合、推奨商品が満たすべきスペックの１０段階評価は行われない。このことから、ユーザが会員でなかった場合、Ｓ６１の判定はＮｏとなって図２０ＢのＳ６８に移行する。ユーザが会員であった場合、Ｓ６１の判定はＹｅｓとなってＳ６２に移行する。
【００８６】
会員であるユーザが過去にアンケートに回答していない場合がありうる。過去にアンケートにも回答していないユーザでは、図１８に表す利用レベルチェック処理の実行により、スペックの１０段階評価値は得られない。また、ユーザが使用する端末装置３は、パソコンであるとは限らない。このことから、Ｓ５２の実行時に、１０段階評価値が確定するとは限らない。このため、Ｓ６１では、ユーザが会員であっても、１０段階評価値が確定していない場合、判定はＮｏとなる。
【００８７】
Ｓ６２では、ＣＰＵ５１は、推奨商品が満たすべきスペックの１０段階評価結果を取得する。次にＣＰＵ５１は、図８に表すスペックテーブル１３２を参照して、１０段階評価結果と同じ結果、或いは最も近い結果が格納されたエントリを選択し、選択したエントリの型名データを抽出する。また、選択したエントリに格納されているスピード関連データ中の１０段階評価値を抽出する（以上Ｓ６３）。続いて、ＣＰＵ５１は、選択したエントリに格納されている容量関連データ中の１０段階評価値を抽出する（Ｓ６４）。以降、ＣＰＵ５１は、抽出した型名データを用いて、図７に表す価格テーブル１３１、図９に表すサイズテーブル１３３、図１１に表すバランステーブル１３５を参照し、それぞれ１０段階評価値を抽出する（Ｓ６５〜Ｓ６７）。その後、ポイント数値化処理が終了する。
【００８８】
このように、本実施形態では、ユーザが会員であった場合、スペックの１０段階評価値から推奨商品を特定し、特定した推奨商品の予め定めた項目の項目値となる１０段階評価値を抽出するようにしている。抽出された各項目の１０段階評価値が重要ポイント値である。
【００８９】
上記Ｓ６１の判定がＮｏとなって移行するＳ６８以降では、予め定めた規則に従って推奨商品、及び各項目の項目値を決定するための処理が行われる。
【００９０】
図２０ＢのＳ６８では、ＣＰＵ５１は、図１４に表す付加係数テーブル１４０から、各付加係数の読み込みを行う。次にＣＰＵ５１は、図８に表すスペックテーブル１３２を参照して、ユーザが指定したシリーズのなかで最も高いスペックの１０段階評価値が格納されたエントリを選択し、選択したエントリから、型名データ、及びスピード関連データ中の１０段階評価値を抽出する（Ｓ６９）。続いて、ＣＰＵ５１は、選択したエントリに格納されている容量関連データ中の１０段階評価値を抽出する（Ｓ７０）。
【００９１】
以降、ＣＰＵ５１は、抽出した型名データを用いて、図７に表す価格テーブル１３１、図９に表すサイズテーブル１３３、図１１に表すバランステーブル１３５を参照し、それぞれ１０段階評価値を抽出する（Ｓ７１〜Ｓ７３）。
【００９２】
抽出の終了後、ＣＰＵ５１は、それぞれ抽出した１０段階評価値を、Ｓ６８で読み込んだ対応する付加係数と掛けることで、各項目の項目値を算出する。次に、算出後の各項目値に最も近い商品を特定し、特定した商品を推奨商品として決定し、推奨商品の各項目の項目値を決定する（Ｓ７４）。その後、ポイント数値化処理が終了する。
【００９３】
上記ポイント数値化処理の実行により、推奨商品が決定し、推奨商品のレーダーチャート３１０に設定された各項目の項目値が確定する。Ｓ９には、このポイント数値化処理の実行終了により移行する。
【００９４】
Ｓ９では、ＣＰＵ５１は、レーダーチャート作成処理を実行する。推奨商品の各項目項目値としては、ポイント数値化処理により得られた各項目項目値が用いられ、同じシリーズに存在する全商品の各項目の項目値の範囲は、商品別に、各項目の項目値を確認することで特定される。このため、レーダーチャート作成処理を実行することにより、図３に表すようなレーダーチャート３１０が作成されることとなる。図１のデータ生成部１２３が備えるグラフ生成部１２３ａの一部は、ＣＰＵ５１がレーダーチャート作成処理を実行することで実現される。
【００９５】
Ｓ９に続くＳ１０では、ＣＰＵ５１は、作成されたレーダーチャート３１０、推奨商品の画像３００を配置したページ画面を作成し、端末装置３に送信する。その後、第１のページ画面作成処理が終了する。
【００９６】
上記ページ画面の送信により、図８に表すようなページ画面が端末装置３に表示される。その後、項目の組み合わせの変更が行われた場合、上記Ｓ９のようなレーダーチャート作成処理が再度、実行される結果、表示されるレーダーチャート３１０の変更が行われ、端末装置３は新たに図９に表すようなページ画面を表示することとなる。
【００９７】
図２１は、提示商品変更処理のフローチャートである。提示商品変更処理は、ユーザがレーダーチャート３１０の何れかの項目の項目値を変更した場合に、変更後の各項目の項目値によって指定される商品、つまり各項目の項目値が変更後の各項目の項目値に最も近い商品を特定するために実行される。次に図２１を参照し、提示商品変更処理について詳細に説明する。
【００９８】
先ず、ＣＰＵ５１は、顛末装置３から、レーダーチャート３１０の線３１２の項目値の変更に係わるデータを受信する（Ｓ８１）。次にＣＰＵ５１は、受信データが表す項目の項目値の変更が可能な否か判定する（Ｓ８２）。端末装置３のユーザが、チェックボックス３１１にチェックマークを表示させていない項目の項目値を変更しようとした場合、Ｓ８２の判定はＮｏとなってＳ８５に移行する。端末装置３のユーザが、チェックボックス３１１にチェックマークを表示させている項目の項目値を変更しようとした場合、Ｓ８２の判定はＹｅｓとなってＳ８４に移行する。
【００９９】
Ｓ８４では、ＣＰＵ５１は、端末装置３のユーザの操作に合わせて項目値の変更を行う。次にＣＰＵ５１は、各項目の項目値が、変更後の項目値を含む各項目の項目値に最も近い商品をリストアップする。リストアップする商品は、図７〜図１１に表す各種テーブル１３１〜１３５を必要に応じて参照することで行われる。
【０１００】
Ｓ８４に続くＳ８５では、ＣＰＵ５１は、結果を通知するためのデータ送信を行う。リストアップした商品が存在する場合、リストアップした商品の画像を画像３００として新たに配置したページ画面が端末装置３に送信される。リストアップした商品が存在しない場合、項目値の変更が無効な場合、その旨をユーザが認識できるデータが送信される。データ送信を行った後、提示商品変更処理が終了する。
【０１０１】
図２２は、パソコン比較表示処理のフローチャートである。上記のように、本実施形態では、ユーザが「現在のパソコンと比較」ボタン３２２をクリック操作した場合、ユーザが過去に購入したパソコンを表す線３１４をレーダーチャート３１０上に表示するようにしている。パソコン比較表示処理は、ユーザの「現在のパソコンと比較」ボタン３２２へのクリック操作に対応するための処理である。次に図２２を参照して、パソコン比較表示処理について詳細に説明する。
【０１０２】
先ず、ＣＰＵ５１は、履歴ＤＢ１３９を参照し、「現在のパソコンと比較」ボタン３２２をクリック操作したユーザが過去に購入したパソコンのスペックデータの抽出を行う（Ｓ９１）。次にＣＰＵ５１は、スペックデータの抽出結果を用いて、現在のレーダーチャート３１０に線３１４を新たに描画するためのレーダーチャート作成処理を実行する（Ｓ９２）。その後、ＣＰＵ５１は、作成したレーダーチャート３１０を表示させるためのデータ送信を行う（Ｓ９３）。パソコン比較表示処理は、その後に終了する。
【０１０３】
ユーザが過去にパソコンを購入していない場合、線３１４の描画はできない。このことから、過去にパソコンを購入していないユーザが「現在のパソコンと比較」ボタン３２２をクリック操作した場合、その旨を通知するためのデータ送信がＳ９３で行われる。
【０１０４】
なお、本実施形態では、商品としてパソコンに着目しているが、商品はパソコン以外の製品であっても良い。また、本実施形態は、商品販売サービスを提供する処理システムであるサーバ１によって実現させているが、本実施形態は、商品販売サービスを提供しない処理システムに搭載させても良い。つまり、本実施形態は、ユーザが所望の商品を検討するのを支援する目的でサービスを提供するサイトの処理システム、或いはサーバ（情報処理装置）に適用させても良い。また、領域３１３を特定するための商品は、同じシリーズに属する全ての商品としているが、全ての商品のなかから選択した複数の商品であっても良い。
【０１０５】
以上の変形例を含む実施形態に関し、更に以下の付記を開示する。
（付記１）
提示可能な商品の各項目の評価結果である項目値を表す項目値情報を格納した格納手段と、
ネットワークを介して接続された端末装置のユーザに商品を提示する場合に、前記格納手段に格納された前記項目値情報を参照し、該商品における複数の項目の各項目値、及び該商品が属するグループで提示可能な商品の範囲を該複数の項目の項目値の範囲として表すグラフ情報を作成するグラフ作成手段と、
前記ネットワークを介して、前記グラフ作成手段が作成したグラフ情報を前記端末装置に送信する通信手段と、
を具備することを特徴とする情報処理装置。
（付記２）
前記商品は、前記グラフ情報にある該商品の項目に対する項目値が操作された場合に、該操作後の各項目の項目値に基づいて変更する、
ことを特徴とする付記１記載の情報処理装置。
（付記３）
ユーザが前記グループを指定した場合、前記商品は、該グループに属する商品のなかで推奨する商品、及びユーザの過去の利用履歴を基に特定される商品の何れかである、
ことを特徴とする付記１記載の商品紹介システム。
（付記４）
前記グラフ情報はレーダーチャートである、
ことを特徴とする付記１〜３の何れか１項に記載の商品紹介システム。
（付記５）
提示可能な商品の各項目の評価結果である項目値を表す項目値情報を格納手段に格納し、
ネットワークを介して接続された端末装置のユーザに商品を提示する場合に、前記格納手段に格納された前記項目値情報を参照し、該商品における複数の項目の各項目値、及び該商品が属するグループで提示可能な商品の範囲を該複数の項目の項目値の範囲として表すグラフ情報を作成し、
前記ネットワークを介して、該作成したグラフ情報を前記端末装置に送信する、
ことを特徴とする商品紹介方法。
（付記６）
端末装置とネットワークを介して接続可能なコンピュータに、
提示可能な商品の各項目の評価結果である項目値を表す項目値情報を格納手段に格納し、
ネットワークを介して接続された端末装置のユーザに商品を提示する場合に、前記格納手段に格納された前記項目値情報を参照し、該商品における複数の項目の各項目値、及び該商品が属するグループで提示可能な商品の範囲を該複数の項目の項目値の範囲として表すグラフ情報を作成し、
該作成したグラフ情報を、前記ネットワークを介して前記端末装置に送信する、
処理を実行させるプログラム。
【符号の説明】
【０１０６】
１    サーバ
２    ネットワーク
３    端末装置
１１    通信部
１２    リクエスト処理部
１３    記憶部
１３１    価格テーブル
１３２    スペックテーブル
１３３    サイズテーブル
１３４    納期テーブル
１３５    バランステーブル
１３６    アプリテーブル
１３７    サービステーブル
１３９    履歴ＤＢ
１４０    付加係数テーブル
１４１    マスタＤＢ群
【図１】
2013218494.tif 000003
【図２】
2013218494.tif 000004
【図３】
2013218494.tif 000005
【図４】
2013218494.tif 000006
【図５】
2013218494.tif 000007
【図６】
2013218494.tif 000008
【図７】
2013218494.tif 000009
【図８】
2013218494.tif 000010
【図９】
2013218494.tif 000011
【図１０】
2013218494.tif 000012
【図１１】
2013218494.tif 000013
【図１２】
2013218494.tif 000014
【図１３】
2013218494.tif 000015
【図１４】
2013218494.tif 000016
【図１５】
2013218494.tif 000017
【図１６】
2013218494.tif 000018
【図１７】
2013218494.tif 000019
【図１８】
2013218494.tif 000020
【図１９】
2013218494.tif 000021
【図２０Ａ】
2013218494.tif 000022
【図２０Ｂ】
2013218494.tif 000023
【図２１】
2013218494.tif 000024
【図２２】
2013218494.tif 000025
【図２３】
2013218494.tif 000026